(57)【要約】      （修正有）【課題】組立と廃棄を簡易迅速に行うことができる携帯型トイレを提供する。【解決手段】長尺シート１２の適所に、長さ方向に対して直交するスリット１３、１４を異なる向きに形成した厚紙製枠体１１を準備し、厚紙製枠体を異なる向きのスリットを差し込んで円筒状に組み立て、円筒状の厚紙製枠体の上から一端を解放したポリ袋製の包装資材からなる筒状の便の収納袋１５をはめ込むとともに、収納袋内に固化剤１６を投入し、用便後に大小便が固化された状態で収納袋をパックし、別途用意した筒状収納ケースに収納して持ち運ぶ。【選択図】図４
0003227387.tif 000002
【実用新案登録請求の範囲】
【請求項１】
長尺シートの適所に、その長さ方向に対して直交するスリットを異なる向きに形成した厚紙製枠体を準備し、この厚紙製枠体を前記異なる向きのスリットを差し込んで円筒状に組み立て、得た円筒状の厚紙製枠体の上から一端を解放したポリ袋製の包装資材からなる筒状の便の収納袋をはめ込むとともに、収納袋内に固化剤を投入しておき、用便後に大小便が固化された状態で収納袋をパックした上、別途用意した筒状収納ケースに収納して持ち運ぶことができるようにしたことを特徴とする携帯型トイレ。
【請求項２】
前記収納袋のほかに消臭袋を準備しておき、用便後に大小便が固化された状態で収納袋をパックした上、前記消臭袋に重ねて入れることによりさらに匂いを抑えるようにしたことを特徴とする請求項1に記載の携帯型トイレ。
【請求項３】
前記厚紙製枠体が、その長さ方向に対して直交するスリットを異なる向きに複数形成することにより、前記厚紙製枠体を前記異なる向きのスリットを差し込んで複数の径の円筒状に組み立て、異なるサイズの円筒状に組み立てることを可能としたことを特徴とする請求項１または２に記載の携帯型トイレ。
【請求項４】
前記収納袋を収納する別途用意した筒状収納ケースが、さらにしっくいを塗布したシートを筒状収納ケースの内側天地に貼っておくことにより消臭殺菌できるようにしたことを特徴とする請求項１ないし３のいずれかに記載の携帯型トイレ。
【請求項５】
前記厚紙製枠体が、使用の前には筒状に丸めた上で、別途用意した筒状収納ケースの内周に沿って収納して持ち運ぶことができるようにしたことを特徴とする請求項１ないし４のいずれかに記載の携帯型トイレ。
【考案の詳細な説明】
【技術分野】
【０００１】
本考案は緊急の際に枠体とポリ袋製の包装資材からなる便の収納袋とを簡単に組み立てることができ、用便後には大小便を固化して収納袋をパックして筒状ケースに収納して持ち運ぶことができるようにした携帯型トイレに関するものである。
【背景技術】
【０００２】
従来の携帯型トイレとしては、
１）特開２０１４−１１３４２７号公報（特許文献１参照）のように、汚物受け具は股間にスムーズに挿入できる形態であり、その器具に袋のサイドに切欠きの入ったポリ袋を何枚も重ねて取付け、一枚の袋を下部より脱がせ裏返して汚物を袋詰めすることで、複数回の処理を衛生的に手早く行うことができるようにしたもの。
２）また、実用新案登録第３１４７４５１号公報（特許文献２参照）のように、ポリ袋１０枚分を重ね合わせ、最初の人は使用後ポリ袋を左右から閉じておく。次の人は２枚目のポリ袋を使用し、使用後はポリ袋を左右から閉じておく。その様に次々と使用し、最後は１０枚目のポリ袋を結束バンドで絞って閉じる。以上の様に、９回分を１包みで廃棄できるようにしたもの。
等が知られている。
【先行技術文献】
【特許文献】
【０００３】
【特許文献１】特開２０１４−１１３４２７号公報
【特許文献２】実用新案登録第３１４７４５１号公報
【考案の概要】
【考案が解決しようとする課題】
【０００４】
しかしながら、屋内外を問わず収納袋をかぶせる便器や便座がないと用便をしづらかった。
また屋外において収納袋を使って用便を済ませたとしてもそれを持ち帰らざるをえず、グニャグニャしてなおかつ収納袋から匂いが漏れ出てくるものをバックなどに入れるか、そのまま捨て置いてくることが見受けられた。
【０００５】
そこでこのような問題を解消するために本発明者は下記の点について考察した。
第１に厚紙製便器（厚紙製枠体）を作った。
これにより洋式便器や便座がなくともどこでもポリ製収納袋にて用便ができる。
第２に厚紙製の筒状収納ケースを用意した。
すなわち、しっかりした筒状の容器に物品を入れることで、その容器がそのまま汚物の回収容器になるのである。
そしてこの筒状収納ケースは形状がしっかりしているため、持ち歩きにグニャグニャ感がない。
またこの筒状収納ケースは密閉性が高いため、匂いを気にすることなく持ち帰れる。
そのためそのまま捨て置いたり自然環境中に廃棄されることがなくなり、環境汚染を防ぐことができる。すなわち、ごみは持ち帰るという発想から生まれたのである。なおかつ、帰宅後は紙おむつなどと同様に筒ごと家庭ごみとして出すことができる。ただし、ごみの出し方は地域により多少異なる。
さらにしっくいシートを筒状収納ケースの内側天地に貼り付けることにより消臭袋から万一漏れ出た匂いも消臭できるのである。
【０００６】
以上にように本考案は、ポリ袋製の収納袋を支持して便をしやすくする便利な厚紙製枠体を創出したものであり、長尺シートの適所に、その長さ方向に対して直交するスリットを異なる向きに形成した厚紙製枠体を準備するとともに、前記スリットを互いに差し込んで円筒状に組み立て、得た円筒状の厚紙製枠体の上から一端を解放したポリ袋製の包装資材からなる筒状の便の収納袋をはめ込むようにしたものであって、組立と廃棄を簡易迅速に行うことができる携帯型トイレを提供しようとするものである。
【課題を解決するための手段】
【０００７】
すなわち本考案の携帯型トイレは、長尺シートの適所に、その長さ方向に対して直交するスリットを異なる向きに形成した厚紙製枠体を準備し、この厚紙製枠体を前記異なる向きのスリットを差し込んで円筒状に組み立て、得た円筒状の厚紙製枠体の上から一端を解放したポリ袋製の包装資材からなる筒状の便の収納袋をはめ込むとともに、収納袋内に固化剤を投入しておき、用便後に大小便が固化された状態で収納袋をパックした上、別途用意した筒状収納ケースに収納して持ち運ぶことができるようにしたことを特徴とするものである。
【０００８】
本考案の携帯型トイレは、前記収納袋のほかに消臭袋を準備しておき、用便後に大小便が固化された状態で収納袋をパックした上、前記消臭袋に重ねて入れることによりさらに匂いを抑えるようにしたことをも特徴とするものである。
【０００９】
本考案の携帯型トイレにおいて、前記厚紙製枠体が、その長さ方向に対して直交するスリットを異なる向きに複数形成することにより、前記厚紙製枠体を前記異なる向きのスリットを差し込んで複数の径の円筒状に組み立て、異なるサイズの円筒状に組み立てることを可能としたことをも特徴とするものである。
【００１０】
本考案の携帯型トイレにおいて、前記収納袋を収納する別途用意した筒状収納ケースが、さらにしっくいを塗布したシートを筒状収納ケースの内側天地に貼っておくことにより消臭殺菌できるようにしたことをも特徴とするものである。
【００１１】
本考案の携帯型トイレにおいて、前記厚紙製枠体が、使用の前には筒状に丸めた上で、別途用意した筒状収納ケースの内周に沿って収納して持ち運ぶことができるようにしたことをも特徴とするものである。
【考案の効果】
【００１２】
請求項１の携帯型トイレは、厚紙製枠体を準備し、この厚紙製枠体に設けた異なる向きのスリットを差し込んで厚紙製枠体を円筒状に組み立て、得た円筒状の厚紙製枠体の上からポリ袋製の筒状の便の収納袋をはめ込むとともに、収納袋内に固化剤を投入しておき、用便後に大小便が固化された状態で収納袋をパックした上、別途用意した筒状収納ケースに収納して持ち運ぶようにしたものであり、組立と廃棄を簡易迅速に行うことができる携帯型トイレを提供することができる。
【００１３】
請求項２の携帯型トイレは、前記収納袋のほかに消臭袋を準備しておき、用便後に大小便が固化された状態で収納袋をパックした上、前記消臭袋に重ねて入れることができるようにしたものであって、さらに匂いを抑えることができる携帯型トイレを提供することができる。
【００１４】
請求項３の携帯型トイレは、前記厚紙製枠体が、その長さ方向に対して直交するスリットを異なる向きに複数形成することにより、前記厚紙製枠体を前記異なる向きのスリットを差し込んで複数の径の円筒状に組み立て、異なるサイズの円筒状に組み立てることを可能としたものであるため、前記厚紙製枠体を大人や子供等のサイズに応じた大きさに形成することができて非常に使いやすいものとなった。
【００１５】
請求項４の携帯型トイレは、前記用便後に大小便が固化された状態でパックされる収納袋が、さらにしっくいを塗布したシートを筒状収納ケース内側に収納して消臭殺菌できるようにしたものであり、非常に衛生的な携帯型トイレを提供することができるようになった。
【００１６】
請求項５の携帯型トイレは、前記厚紙製枠体が、使用の前には筒状に丸めた上で、別途用意した筒状収納ケースの内周に沿って収納して持ち運ぶことができるようにしたものであり、非常にコンパクトな収納状態で携帯型トイレを持ち運ぶことができるようになった。
【図面の簡単な説明】
【００１７】
【図１】厚紙製枠体を構成する長尺シートの概略斜視図である。
【図２】前記厚紙製枠体を前記異なる向きのスリットを差し込んで円筒状に組み立てた状態の概略斜視図である。
【図３】円筒状の厚紙製枠体の上からポリ袋製の筒状の便の収納袋をはめ込もうとする状態の概略斜視図である。
【図４】円筒状の厚紙製枠体の上からポリ袋製の筒状の収納袋をはめ込んだ状態の概略斜視図である。
【図５】厚紙製枠体を異なるサイズの円筒状に組み立てようとする状態の概略斜視図である。
【図６】厚紙製枠体を異なるサイズの円筒状に組み立てた状態の概略斜視図である。
【図７】異なるサイズの円筒状の厚紙製枠体の上からポリ袋製の筒状の収納袋をはめ込んだ状態の概略斜視図である。
【図８】用便後に大小便が固化された状態でパックされた収納袋を筒状収納ケースに収納しようとする状態を示す概略斜視図である。
【図９】収納袋を筒状収納ケースに収納した状態を示す概略斜視図である。
【図１０】厚紙製枠体を使用前に筒状に丸めた上で筒状収納ケースの内周に沿って収納して持ち運ぶことができるようにした状態を示す概略平面図である。
【図１１】筒状収納ケースに厚紙製枠体や収納袋、ポンチョやティッシュペーパー等を収納しようとするものであり、コンパクトで衛生的な緊急時用の携帯型トイレを示す概略斜視図である。
【考案を実施するための形態】
【００１８】
以下、本考案の携帯型トイレの実施の形態を図面に基いて詳細に説明する。
図１ないし図４は本考案の携帯型トイレの１実施例を示すものであり、１１は長尺シート１２の適所に、その長さ方向に対して直交するスリット１３，１４を異なる向きに形成した厚紙製枠体である。その上で、この厚紙製枠体１１を前記異なる向きのスリット１３，１４を差し込んで円筒状に組み立てるのである。
そして、得た円筒状の厚紙製枠体１１の上から一端を解放したポリ袋製の包装資材からなる筒状の便の収納袋１５をはめ込む。もちろん収納袋１５を筒状としてその底部を円筒状の厚紙製枠体１１内に収納するのである。
本考案の携帯型トイレは以上のように構成してあるため、組立と廃棄を簡易迅速に行うことが可能な携帯型トイレを提供することができる。
【００１９】
なお、前記収納袋１５内には予め固化剤１６を投入しておき、用便後に大小便が固化された状態で収納袋１５で用便をパックした上、図８に示すように、別途用意した筒状収納ケース１７に収納すれば、簡便かつ衛生的、さらに違和感なくに持ち運ぶことができるようになるのである。
【００２０】
図５ないし図７は、本考案の携帯型トイレにおいて、前記厚紙製枠体１１を、その長さ方向に対して直交するスリット１３，１４を異なる向きに複数形成した場合について説明するためのものである。
このように前記スリット１３，１４を複数形成することにより、図５および図６に示すように、前記厚紙製枠体１１を前記異なる向きのスリット１３，１４を差し込んで、異なるサイズの円筒状に組み立てることができる。その上で、図７に示すように、得た円筒状の厚紙製枠体１１の上から一端を解放したポリ袋製の包装資材からなる筒状の便の収納袋１５をはめ込む。
したがって、大人や子供等の対象に応じて異なるサイズの円筒状に組み立て、適宜用便すればよいのである。このように、前記厚紙製枠体１１を大人や子供等のサイズに応じた大きさに形成することができて非常に使いやすいものとなるのである。
【００２１】
図８は、前記用便後に大小便が固化された状態でパックした収納袋１５を示すものであり、該収納袋１５のほかに消臭袋２１を準備しておき、用便後に大小便が固化された状態で収納袋１５をパックした上、前記消臭袋２１に重ねて入れることにより、より一層匂いを抑えることができる携帯型トイレを提供することができる。
さらに別途用意した筒状収納ケース１７に収納しようとするものである。図９は筒状収納ケース１７に収納したうえ、キャップ１７ａをかぶせて閉じたい状態を示すものである。
なお、しっくいを塗布したシート１８を筒状収納ケース１７の内側の天地に貼り付けておけば、消臭殺菌できるようにすることもできる。
このようなしっくい塗布シート１８は、石灰石を焼いて水を加えた消石灰（水酸化カルシウム）を主成分としており、この消石灰に接着剤を加えて水で練ったものがしっくいである。そして消石灰を主成分とするため、消臭や殺菌作用に優れており、したがって非常に衛生的な携帯型トイレを提供することができるようになったのである。
【００２２】
本考案の携帯型トイレにおいては、図１０に示すように、前記厚紙製枠体１１が、使用の前には筒状に丸めた上で、別途用意した筒状収納ケース１７の内周に沿って収納して持ち運ぶことができるようにしてある。
したがって、非常にコンパクトな収納状態で携帯型トイレを持ち運ぶことができるようになっている。
【００２３】
なお、前記した別途用意した筒状収納ケース１７には、あらかじめ前記厚紙製枠体１１を使用前に筒状に丸めた上で収納して置くばかりでなく、図１１に示すように、予め固化剤１６やしっくい塗布シート１８を収納した状態で前記収納袋１５を折りたたんで収納しておくこともできる。
また、用便時に頭からかぶって外から用便していることが見えないようにするポンチョ１９等をもコンパクトに折り畳んで前記収納袋１５等と一緒に前記筒状収納ケース１７に収納しておくことが望ましい。
【００２４】
このように別途用意した筒状収納ケース１７に前記厚紙製枠体１１や収納袋１５、ポンチョ１９やティッシュペーパー２０等を収納すれば、非常にコンパクトで衛生的な緊急時用の携帯型トイレとして販売することができる。
【産業上の利用可能性】
【００２５】
本考案の携帯型トイレは以上のように構成してあり、地震や台風、豪雨等における緊急避難の際に好適に使用することができる。
もちろん、車での旅行やハイキング、山登り、災害時に長時間徒歩にて帰宅する途中等においてトイレのない不便な場所にいる際にも好適に使用することができる。
【符号の説明】
【００２６】
１１  厚紙製枠体
１２  長尺シート
１３，１４  スリット
１５  収納袋
１６  固化剤
１７  筒状収納ケース
１７ａ  キャップ
１８  しっくい塗布シート
１９  ポンチョ
２０  ティッシュペーパー
２１  消臭袋
【図１】
0003227387.tif 000003
【図２】
0003227387.tif 000004
【図３】
0003227387.tif 000005
【図４】
0003227387.tif 000006
【図５】
0003227387.tif 000007
【図６】
0003227387.tif 000008
【図７】
0003227387.tif 000009
【図８】
0003227387.tif 000010
【図９】
0003227387.tif 000011
【図１０】
0003227387.tif 000012
【図１１】
0003227387.tif 000013